(57)【要約】【課題】キャディバック等に収容して持ち運ぶことが可能であり、常日頃使用しているゴルフクラブに対して簡単に着脱可能であって、一目で正確にフェース面の向きがどのようになっているかを確認することができ、かつ実際のプレー時の感覚からかけ離れることなくフェース面の制御感覚を養うことが可能なゴルフ練習器具を提供する。【解決手段】ゴルフクラブ１のヘッド３に対して着脱可能とされるゴルフ練習器具５であって、前記ゴルフ練習器具５は、ヘッド３のフェース面の形状を模した板状体６とされるとともに、ヘッド３のフェース面積よりも大きな面積とされ、前記板状体６の裏面に設けられた装着手段７によって前記ヘッド３のフェース面に対して着脱自在とされる。【選択図】図２
2016137113.tif 000002
【特許請求の範囲】
【請求項１】
ゴルフクラブのヘッドに対して着脱可能とされるゴルフ練習器具であって、
前記ゴルフ練習器具は、ヘッドのフェース面の形状を模した板状体とされるとともに、ヘッドのフェース面積よりも大きな面積とされ、前記板状体の裏面に設けられた装着手段によって前記ヘッドのフェース面に対して着脱自在とされることを特徴とするゴルフ練習器具。
【請求項２】
前記板状体の素材は、プラスチック、発泡プラスチック、厚紙及び段ボールの内のいずれかとされる請求項１記載のゴルフ練習器具。
【請求項３】
前記板状体には、多数の開孔が形成されている請求項１，２いずれかに記載のゴルフ練習器具。
【請求項４】
前記装着手段は、板状磁石、テープ状磁石、両面テープ及び吸盤の内のいずれかとされる請求項１〜３いずれかに記載のゴルフ練習器具。
【請求項５】
前記板状体の面積は、ヘッドのフェース面積の２〜７倍とされる請求項１〜４いずれかに記載のゴルフ練習器具。
【発明の詳細な説明】
【技術分野】
【０００１】
本発明は、アドレス時及びスイング中におけるゴルフクラブのフェース面の向きを確認するのに役立つゴルフ練習器具に関する。
【背景技術】
【０００２】
ゴルフの上達のために、各種のゴルフ練習器具が考案され市場で販売されている。ゴルフにおいては、クラブのフェース面がボールにインパクトする際のフェース面の向きが打球の方向性に重大な影響を与えることになる。アドレスでフェース面を飛球線方向に対してスクエアに構えたならば、このスクエアな状態をテイクバックからトップまでのスイング中及びトップからダウンスイング、そしてインパクトを迎えるまでのスイング中にフェース面をスクエアな状態にキープすることが、狙った位置にボールを飛ばすために非常に重要となる。しかしながら、多くのアマチェアゴルファーの場合は、スイング中に手首（コック）を使いすぎたり、或いはテイクバックがインサイド軌道過ぎたり、アウトサイド軌道過ぎたりすること等に原因して、フェース面をスクエアな状態にキープすることが困難になっている。
【０００３】
そのため、アドレス時やスイング中にゴルフクラブのフェース面がスクエアになっているかどうかをチェックするための練習器具が幾つか提案されている。
【０００４】
例えば下記特許文献１では、図６に示されるように、グリップ付シャフト５１の先端に角度調整自在にフェース方向指示部材５２を取り付けて成るゴルフ練習具５０が開示されている。
【０００５】
下記特許文献２では、図７に示されるように、磁石５４に対して、垂直に支持棒５５の片端を取り付け、その反対の端にビニール製（又はプラスチック又はスポンジ）等のゴルフボール５６（又はボール）を取り付けたゴルフ練習器具５３が開示されている。
【０００６】
更に下記特許文献３では、図８に示されるように、フェイス磁着板５８とレーザー装置ケーシング５９とが、緊締ヒンジ６０を介して折畳み可能に枢着され、前記フェイス磁着板５８はフェイス（Ｆ）当て面に永久磁石６１を埋設し、前記レーザー装置ケーシング５９には表面に臨むスイッチ６２の操作により作動するライン状レーザー光線発射ポインターを時間差点滅回路と接続して内蔵するとともに折畳み背中部に前記レーザー光線発射ポインターのレーザー発射口６３を設けて成るゴルフにおける折畳み式レーザー光線利用のアドレス練習用アタッチメント５７が開示されている。
【先行技術文献】
【特許文献】
【０００７】
【特許文献１】実用新案登録第３０４４２６４号公報
【特許文献２】実開平５−６８５８０号公報
【特許文献３】特開２００２−２３９０５１号公報
【発明の概要】
【発明が解決しようとする課題】
【０００８】
しかしながら、特許文献１に係るゴルフ練習具５０の場合は、専用に製作された特殊な練習器具であり、製作に費用が掛かるとともに、アドレス時やスイング中におけるフェース方向指示部材５２の指す方向によってフェースの向きが把握できるとしても、ゴルフクラブのフェース形状とはあまりに異なる形状であるため、実際のプレー時における感覚とかけ離れたイメージとなってしまう。また、持ち運びが難しくキャディバックに常時収容し得るものではない。
【０００９】
前記特許文献２に係るゴルフ練習器具５３の場合は、実際に使用しているゴルフクラブに対して簡単に着脱できるとともに、形状も小さくキャディバックに常時収容し得る点で優れている。しかしながら、ゴルフクラブのフェースの形状は小さく、目の位置からクラブフェースまでは約身長ほどの距離があるため支持棒５５の方向だけではフェース面の向きを確認し難いなどの問題がある。また、実際のプレー時はフェース面のみの視認によって向きがどのようになっているかを感覚的に体に覚え込ます必要があるのに対して、そのような感覚を養える練習器具にはなっていない。
【００１０】
更に、前記特許文献３に係るアドレス練習用アタッチメント５７の場合は、専用に製作された特殊な練習器具であり、製作に費用が掛かるとともに、アドレス時におけるフェース面の方向は比較的分かりやすいがスイング途中におけるフェース面の方向はレーザー光の照射位置が激しく動くため視認がかなり困難であるという問題がある。また、実際のプレー時はフェース面のみの視認によって向きがどのようになっているかを感覚的に体に覚え込ます必要があるのに対して、そのような感覚を養える練習器具にはなっていない。
【００１１】
そこで本発明の主たる課題は、アドレス時及びスイング中におけるゴルフクラブのフェース面の向きを確認するのに役立つゴルフ練習器具であって、キャディバック等に収容して持ち運ぶことが可能であり、常日頃使用しているゴルフクラブに対して簡単に着脱可能であって、一目で正確にフェース面の向きがどのようになっているかを確認することができ、かつ実際のプレー時の感覚からかけ離れることなくフェース面の制御感覚を養うことが可能なゴルフ練習器具を提供することにある。
【課題を解決するための手段】
【００１２】
上記課題を解決するために請求項１に係る本発明として、ゴルフクラブのヘッドに対して着脱可能とされるゴルフ練習器具であって、
前記ゴルフ練習器具は、ヘッドのフェース面の形状を模した板状体とされるとともに、ヘッドのフェース面積よりも大きな面積とされ、前記板状体の裏面に設けられた装着手段によって前記ヘッドのフェース面に対して着脱自在とされることを特徴とするゴルフ練習器具が提供される。
【００１３】
上記請求項１記載の発明では、ゴルフ練習器具は、ヘッドのフェース面の形状を模した板状体とされるとともに、ヘッドのフェース面積よりも大きな面積とされ、前記板状体の裏面に設けられた装着手段によって前記ヘッドのフェース面に対して着脱自在とされる。従って、前記ゴルフ練習器具をヘッドに装着することによって、ヘッドのフェース面が視覚的に拡大されることになり、アドレス時におけるフェース面の方向を一目で正確に確認することが可能になるとともに、そのままスイング動作を行うと、フェース面が拡大されているためスイング中にフェース面がスクエアな状態に維持されているかどうかも容易に確認することができる。また、前記板状体は、ヘッドのフェース面の形状を模した板状体とされるため、実際のプレー時の感覚からかけ離れることなくフェース面の制御感覚を養うことが可能となる。更に、大掛かりでは無く非常にコンパクトな練習器具であるため、キャディバックに収容でき、ゴルフ練習場に持ち込んだり、室内でも簡単にフェース面の方向を意識した練習が可能になる。
【００１４】
請求項２に係る本発明として、前記板状体の素材は、プラスチック、発泡プラスチック、厚紙及び段ボールの内のいずれかとされる請求項１記載のゴルフ練習器具が提供される。
【００１５】
上記請求項２記載の発明では、前記板状体の素材をプラスチック、発泡プラスチック、厚紙及び段ボールの内のいずれかとするものである。前記板状体が軽量なものでないとスイング中にすぐにヘッドから脱落するおそれがあるため、持ち運び性を考慮するとともに、脱落して飛んだ際に事故がないように軽量素材とするものである。
【００１６】
請求項３に係る本発明として、前記板状体には、多数の開孔が形成されている請求項１，２いずれかに記載のゴルフ練習器具が提供される。
【００１７】
上記請求項３記載の発明では、ゴルフ練習器具をクラブヘッドに装着した状態でスイングをした際に風圧によって板状体が脱落しないように、空気抵抗を減じるために板状体に多数の開孔を形成するようにしたものである。
【００１８】
請求項４に係る本発明として、前記装着手段は、板状磁石、テープ状磁石、両面テープ及び吸盤の内のいずれかとされる請求項１〜３いずれかに記載のゴルフ練習器具が提供される。
【００１９】
上記請求項４記載の発明では、板状体のヘッドへの装着手段を具体的に列挙したものである。装着手段としては、板状磁石、テープ状磁石、両面テープ及び吸盤の内のいずれかとするのが望ましい。
【００２０】
請求項５に係る本発明として、前記板状体の面積は、ヘッドのフェース面積の２〜７倍とされる請求項１〜４いずれかに記載のゴルフ練習器具が提供される。
【００２１】
上記請求項５記載の発明では、前記板状体の面積（大きさ）を規定したものである。前記板状体の面積は、ヘッドのフェース面積の２〜７倍、好ましくは３〜５倍とするのが望ましい。
【発明の効果】
【００２２】
以上詳説のとおり本発明によれば、アドレス時及びスイング中におけるゴルフクラブのフェース面の向きを確認するのに役立つゴルフ練習器具であって、キャディバック等に収容して持ち運ぶことが可能であり、常日頃使用しているゴルフクラブに対して簡単に着脱可能であって、一目で正確にフェース面の向きがどのようになっているかを確認することができ、かつ実際のプレー時の感覚からかけ離れることなくフェース面の制御感覚を養うことが可能なゴルフ練習器具を提供できるようになる。
【図面の簡単な説明】
【００２３】
【図１】ゴルフクラブ１（アイアン）の全体図である。
【図２】ゴルフクラブ１のヘッド３に対して本発明に係るゴルフ練習器具５を装着した状態を示す、(A)は正面図、(B)は側面図である。
【図３】本発明に係るゴルフ練習器具５を示す、(A)は正面図、(B)は裏面図、(C)は底面図である。
【図４】装着手段７の変形例を示す底面図である。
【図５】板状体６の変形例を示す正面図である。
【図６】特許文献１に係るゴルフ練習具５０を示す図である。
【図７】特許文献２に係るゴルフ練習器具５３を示す図である。
【図８】特許文献３に係るアドレス練習用アタッチメント５７を示す図である。
【発明を実施するための形態】
【００２４】
以下、本発明の実施の形態について図面を参照しながら詳述する。
【００２５】
ゴルフクラブ１は、図１に示されるように、金属製又はカーボン製のシャフト２と、シャフト２の先端に連結されたヘッド３と、シャフト２の手元側に装着されたグリップ４とからなるものである。図示の例は、アイアンの例であるが、ドライバー、フェアウェイウッド及びユーティリティなどを基本的に同様の構造を成している。前記ヘッド３の材質は、アンアンの場合は主に軟鉄やステンレスが用いられ、前記ドライバー、フェアウェイウッド及びユーティリティについては主にチタン合金が用いられている。
【００２６】
本発明に係るゴルフ練習器具５は、図２に示されるように、ゴルフクラブ１のヘッド３に対して着脱可能とされるゴルフ練習器具であって、ヘッド３のフェース面の形状を模した板状体６とされるとともに、ヘッド３のフェース面積よりも大きな面積とされ、前記板状体６の裏面に設けられた装着手段７によって前記ヘッド３のフェース面に対して着脱自在とされる。
【００２７】
具体的には、図３に示されるように、プラスチック、発泡プラスチック、厚紙及び段ボールの内のいずれかの材質からなる板状体５によって、ヘッド３のフェース面の形状を模した形状に製作され、その裏面側であってヒール側に前記ヘッド３への取り付けのための装着手段７が設けられている。
【００２８】
図示例では、前記板状体６の表面には、クラブヘッド３のフェース面に刻まれているスコアラインのイメージが出るように、縦方向に間隔をおいて多数の横溝線６ａ、６ａ…が形成され、その両側にそれぞれ縦溝線６ｂ、６ｂが形成されている。
【００２９】
前記板状体６の厚みは、２〜１０mm、好ましくは３〜７mm程度とするのが望ましい。また、前記板状体６の面積は、ヘッド３のフェース面の面積より大きいことが条件とされるが、実際に一目で正確にフェース面の向きがどのようになっているかを確認することができるようにするには、板状体６の面積は、ヘッド３のフェース面積の２〜７倍、好ましくは３〜５倍とするのが望ましい。
【００３０】
前記装着手段７は、板状磁石、テープ状磁石、両面テープ及び吸盤の内のいずれかとされる。図３に示される例は、軟鉄のアイアンに対して装着されることを想定しているため、板状磁石７が用いられている。この板状磁石７が板状体６の裏面側に突出しないように、前記板状体６に対する装着手段７の取付領域には磁石の厚み分だけ厚みを減じた段差６ｃを設けておき、この段差６ｃ領域に板状磁石７を設けるようにするのが望ましい。磁石としては、フェライト磁石、ネオジウム磁石、サマリウム磁石、アルニコ磁石などの永久磁石が用いられるが、これらの内、最も高い磁気エネルギーを持つネオジウム磁石を用いるのが望ましい。ネオジウム磁石はフェライト磁石の１０倍以上の磁力を持っている。形態は、板状で良いが、厚みが少なくて済むテープ状磁石を用いることも可能である。この場合は、板状体６に段差を設けることなく、板状体６の裏面に直接、接着剤等によって貼り付けるようにしてもよい。
【００３１】
また、クラブの素材が軟鉄である場合は、装着手段７として磁石を用いることができるが、ステンレス製のアイアンや主にチタン合金で製作されているドライバー、フェアウェイウッド及びユーティリティの場合は、磁石によって板状体６をヘッド３に装着することができない。その場合は、両面テープで代替したり、図４に示されるように、板状体の裏面に設けた吸盤８，８によってヘッドのフェース面に装着するようにするのがよい。
【００３２】
以上詳述したゴルフ練習器具５を図２に示されるように、クラブヘッド３のフェース面に装着した状態で、通常のアドレスを取ると、ヘッド３のフェース面が視覚的に拡大されることになり、アドレス時のフェース面の方向を一目で正確に確認することが可能になる。また、そのままスイング動作を行うと、フェース面が拡大されているためスイング中にフェース面がスクエアな状態に維持されているかどうかも容易に確認することが可能になる。
【００３３】
〔他の形態例〕
(1)上記形態例においては、前記板状体６は無孔としたが、本発明のゴルフ練習器具５をクラブヘッド３に取り付けてゆっくりとスイングをした際、風圧によって板状体６が脱落するおそれがある。従って、図５に示されるように、空気抵抗を減じるために板状体６に多数の開孔６ｄ、６ｄ…を形成するようにしてもよい。これらの開孔６ｄ、６ｄ…は前記装着手段７の設置領域以外の場所に設けるようにするのが良い。
【符号の説明】
【００３４】
１…ゴルフクラブ、２…シャフト、３…ヘッド、４…グリップ、５…ゴルフ練習器具、６…板状体、６ａ…横溝線、６ｂ…縦溝線、６ｃ…段差、６ｄ…開孔、７…装着手段、８…吸盤
【図１】
2016137113.tif 000003
【図２】
2016137113.tif 000004
【図３】
2016137113.tif 000005
【図４】
2016137113.tif 000006
【図５】
2016137113.tif 000007
【図６】
2016137113.tif 000008
【図７】
2016137113.tif 000009
【図８】
2016137113.tif 000010